(57)【要約】      （修正有）【課題】置き忘れた場合でも容易に発見でき、防犯にも有効に機能し、更に空港の手荷物受け渡し場所等において、ベルト上の手荷物の中から自分の鞄や、キャリーバック、スーツケース等を簡単に発見することができる鞄及びバッグを提供する。【解決手段】鞄１又はバッグであって、帯鉄８ａ、８ｂに設けられ、報音部と、識別コードを受信する受信部と、該受信部によって受信した識別コードが記憶部に記憶された識別コードと一致することを判断する識別部と、識別コードの一致を判断すると、前記報音部を駆動し、外部に報音する制御部とを備える。例えば前記バッグはキャリーバック又はスーツケースであり、空港の手荷物受け渡し場所において前記携帯電話を操作して前記手荷物受け渡し場所のベルト上を搬送される前記バッグの報音部を駆動し、発光部を発光させる。【選択図】図１
2016064108.tif 000002
【特許請求の範囲】
【請求項１】
帯鉄に設けられ、
報音部と、
識別コードを受信する受信部と、
該受信部によって受信した識別コードが記憶部に記憶された識別コードと一致することを判断する識別部と、
該識別コードの一致を判断すると、前記報音部を駆動し、外部に報音する制御部と、
を備えることを特徴とする鞄又はバッグ。
【請求項２】
前記帯鉄には、発光部も設けられていることを特徴とする請求項１に記載の鞄又はバッグ。
【請求項３】
前記識別コードを含む信号は携帯電話から送信されることを特徴とする請求項１、又は２に記載の鞄又はバッグ。
【請求項４】
前記識別コードを含む信号は専用の送信機から送信されることを特徴とする請求項１、又は２に記載の鞄又はバッグ。
【請求項５】
前記受信部は前記識別コードを含む信号が電磁波の場合ル−プアンテナ等のアンテナ素子であり、超音波信号の場合には超音波マイクロフォンであり、光信号である場合には受光素子であることを特徴とする請求項１、２、３、又は４に記載の鞄又はバッグ。
【請求項６】
前記バッグはキャリーバック又はスーツケースであり、空港の手荷物受け渡し場所において前記携帯電話を操作して前記手荷物受け渡し場所のベルト上を搬送される前記バッグの報音部を駆動し、発光部を発光させることを特徴とする請求項３に記載の鞄又はバッグ。
【請求項７】
前記バッグはキャリーバック又はスーツケースであり、空港の手荷物受け渡し場所において前記専用の送信機を操作して前記手荷物受け渡し場所のベルト上を搬送される前記バッグの報音部を駆動し、発光部を発光させることを特徴とする請求項４に記載の鞄又はバッグ。
【請求項８】
発信器が設けられた鞄又はバッグと、
該発信器からの発信信号を受信する衛星装置と、
該衛星装置からの送信信号を受信し、前記鞄又はバッグの位置を計測し、該位置情報を記憶するサーバ装置と、
該サーバ装置と通信を行い、前記位置情報を受信する端末機器と、
を備えることを特徴とする鞄又はバッグの位置検出システム。
【請求項９】
前記サーバ装置は前記衛星装置からの発信信号を受信し、鞄又はバッグの現在位置を計測する計測手段を備え、該計測手段によって計測した前記鞄又はバッグの現在位置を記憶手段に記憶することを特徴とする請求項８に記載の位置検出システム。
【請求項１０】
前記端末装置からの識別コードに基づいて前記鞄又はバッグの特定を行い、前記識別コードに対応する対象物の現在位置の情報を前記記憶手段から読み出し、前記端末装置に送信することを特徴とする請求項９に記載の位置検出システム。
【請求項１１】
前記端末装置はスマートフォンであり、前記記憶手段から読み出した前記鞄又はバッグの現在位置情報を地図上に表示することを特徴とする請求項８、９、又は１０に記載の位置検出システム。
【請求項１２】
前記端末装置はパーソナルコンピュータであり、前記記憶手段から読み出した前記鞄又はバッグの現在位置情報をディスプレイ上に表示することを特徴とする請求項８、９、又は１０に記載の位置検出システム。
【請求項１３】
前記バッグにはキャリーバッグやスーツケースを含むことを特徴とする請求項８、９、１０、１１、又は１２に記載の位置検出システム。
【発明の詳細な説明】
【技術分野】
【０００１】
本発明は置き忘れた場合でも容易に探し出すことができ、また空港の手荷物受け渡し場所等において搬送されるキャリーバックやスーツケース等の発見を容易に行うことができる鞄及びバッグに関する。さらに、衛星システム（ＧＰＳ（Global Positioning System））を使用し、移動中の鞄や、キャリーバック、スーツケース等の現在位置を検出する位置検出装置に関する。
【背景技術】
【０００２】
鞄やバッグは通勤や通学のみならず、旅行等広く外出する際に使用され、用途に応じてショルダーバッグや、セカンドバッグ、キャリーバッグ、スーツケース等、各種タイプの物が使用されている。このような鞄やバッグには防犯上、特許文献１に開示する特殊な鍵付きの製品も提案されている。この発明は、電気錠を備え、閉蓋状態で施錠すれば開蓋不能となり、解錠すれば開蓋可能となる鞄であって、例えば指紋情報に基づいて電気錠の開閉を行う。
【先行技術文献】
【特許文献】
【０００３】
【特許文献１】特開２００６−１１２０８３号公報
【発明の概要】
【発明が解決しようとする課題】
【０００４】
しかしながら、鞄やバッグを置き忘れた場合、如何に鞄やバッグの施錠が堅牢であっても意味をもたない。また、鞄やバッグは安易に待合室や、旅館、ホテル等のロビーに置き忘れ、後に探すために苦労する場合も多い。また、空港の手荷物受け渡し場所等において、ベルト上の手荷物の中から自分の鞄や、キャリーバック、スーツケース等を探すために苦労する場合も多い。さらに、国内又は海外において搬送中の鞄や、キャリーバック、スーツケース等の移動位置を検索し、現在位置を知りたい場合もある。
【０００５】
そこで、本発明は置き忘れた場合でも容易に発見でき、盗難等の予防も可能であり、また空港の手荷物受け渡し場所等において、ベルト上の手荷物の中から自分の鞄や、キャリーバック、スーツケースを簡単に発見することができる鞄及びバッグを提供するものである。さらに、国内又は海外において搬送中の鞄や、キャリーバック、スーツケース等の移動位置を検索し、容易に現在位置を知ることができる位置情報検出システム（ＧＰＳシステム）を提供するものである。
【課題を解決するための手段】
【０００６】
上記課題は第１の発明によれば、鞄又はバッグに設けられ、報音部と、識別コードを受信する受信部と、該受信部によって受信した識別コードが記憶部に記憶された識別コードに一致することを判断する識別部と、識別コードの一致を判断すると、前記報音部を駆動し、外部に報音する制御部と、を備える鞄又はバッグを提供することによって達成できる。
【０００７】
上記課題は第２の発明によれば、前記鞄又はバッグには、発光部も設けられていることを特徴とする。
【０００８】
上記課題は第３の発明によれば、前記識別コードを含む信号は携帯電話から送信される鞄又はバッグを提供することによって達成できる。
【０００９】
上記課題は第４の発明によれば、前記識別コードを含む信号は専用の送信機から送信される鞄又はバッグを提供することによって達成できる。
【００１０】
上記課題は第５の発明によれば、前記受信部は前記識別コードを含む信号が電磁波の場合ル−プアンテナ等のアンテナ素子であり、超音波信号の場合には超音波マイクロフォンであり、光信号である場合には受光素子である鞄又はバッグを提供することによって達成できる。
【００１１】
上記課題は第６の発明によれば、前記バッグはキャリーバック又はスーツケースであり、空港の手荷物受け渡し場所において前記携帯電話を操作して前記手荷物受け渡し場所のベルト上を搬送される前記バッグの報音部を駆動し、発光部を発光させる鞄又はバッグを提供することによって達成できる。
【００１２】
上記課題は第７の発明によれば、前記バッグはキャリーバック又はスーツケースであり、空港の手荷物受け渡し場所において前記専用の送信機を操作して前記手荷物受け渡し場所のベルト上を搬送される前記バッグの報音部を駆動し、発光部を発光させる鞄又はバッグを提供することによって達成できる。
【００１３】
上記課題は第８の発明によれば、発信器が設けられた鞄又はバッグと、該発信器からの発信信号を受信する衛星装置と、該衛星装置からの送信信号を受信し、前記鞄又はバッグの位置を計測し、該位置情報を記憶するサーバ装置と、該サーバ装置と通信を行い、前記位置情報を受信する端末機器と、を備える鞄又はバッグの位置検出システムを提供することによって達成できる。
【００１４】
上記課題は第９の発明によれば、前記サーバ装置は前記衛星装置からの発信信号を受信し、鞄又はバッグの現在位置を計測する計測手段を備え、該計測手段によって計測した前記鞄又はバッグの現在位置を記憶手段に記憶する位置検出システムを提供することによって達成できる。
【００１５】
上記課題は第１０の発明によれば、前記端末装置からの識別コードに基づいて前記鞄又はバッグの特定を行い、前記識別コードに対応する対象物の現在位置の情報を前記記憶手段から読み出し、前記端末装置に送信する位置検出システムを提供することによって達成できる。
【００１６】
上記課題は第１１の発明によれば、前記端末装置はスマートフォンであり、前記記憶手段から読み出した前記鞄又はバッグの現在位置情報を地図上に表示する位置検出システム位置検出システムを提供することによって達成できる。
【００１７】
上記課題は第１２の発明によれば、前記端末装置はパーソナルコンピュータであり、前記記憶手段から読み出した前記鞄又はバッグの現在位置情報をディスプレイ上に表示する位置検出システムを提供することによって達成できる。
【００１８】
上記課題は第１３の発明によれば、前記バッグにはキャリーバッグやスーツケースを含む位置検出システムを提供することによって達成できる。
【発明の効果】
【００１９】
本発明によれば、鞄やバッグを何処かに置き忘れた場合でも所有者は携帯電話や専用の送信機を操作することによって容易に探し出すことができ、また防犯にも有効に役立つ鞄やバッグを提供することができる。さらに、国内又は海外において搬送中の鞄や、キャリーバック、スーツケース等の移動位置を検索し、容易に現在位置を知ることができる位置情報検出システムを提供することができる。
【図面の簡単な説明】
【００２０】
【図１】第１の実施形態の鞄の全体構成図であり、発見が容易な鞄の全体構成図である。
【図２】発光報知装置の取り付け構成を説明する図である。
【図３】発光報知装置の内部回路を説明する図である。
【図４】鞄の発光部が発光し、報音部を駆動して所有者に鞄の位置を報知する状態を示す図である。
【図５】第２の実施形態を説明する図である。
【図６】第２の実施形態を説明する図である。
【図７】バンドに設けられた発光報知装置の構成を示す図である。
【図８】第４の実施形態を説明する図である。
【図９】サーバ装置の具体的な構成を説明する図である。
【図１０】記憶部のデータ構成を説明する図である。
【図１１】位置情報を受信したスマートフォンに表示された位置情報の表示例を示す図である。
【発明を実施するための形態】
【００２１】
以下、本発明の実施形態を図面に基づいて詳細に説明する。
（第１の実施形態）
図１は本実施形態の鞄及びバッグの全体構成図であり、特に本例では発見が容易な鞄の例を説明する。同図において、鞄１は本体２と蓋部３で構成され、蓋部３には取手４が設けられている。本体２及び蓋部３は、例えば皮をタンニン等によってなめした所謂なめし革であり、伸縮性が小さく、耐久性に優れた材質である。
【００２２】
本体２にはネ革５ａ、５ｂが取り付けられ、蓋部３にはバンド６ａ、６ｂが設けられ、蓋部３に設けられたバンド６ａ、６ｂを対応するネ革５ａ、５ｂにセットすることによって蓋部３を閉めることができる。また、本体２には錠前７が設けられ、蓋部３を閉めた状態でロックする。
【００２３】
取手４は帯鉄８ａ、８ｂによって蓋部３に取り付けられ、帯鉄８ａ、８ｂは蓋部３に固定されている。また、一方の帯鉄８ａには発光報知装置９が設けられている。この発光報知装置９は本例の鞄１を容易に発見する為の構成である。
【００２４】
図２は発光報知装置９を帯鉄８ａに取り付けた状態を示す図である。例えば、帯鉄８ａの上面に沿って所定長の発光報知装置９を貼着した構造である。尚、帯鉄８ｂの内部に所定長の発光報知装置９を嵌入して取り付ける構造としてもよい。また、後述するように、発光報知装置９には、報音部９ａ及び発光部９ｂが設けられている。
【００２５】
図３は発光報知装置９の内部回路を説明する図である。１２は外部信号を受信する為のアンテナである。アンテナ１２は外部信号が電磁波の場合はル−プアンテナ等のアンテナ素子、超音波信号の場合には超音波マイクロフォン、また光信号である場合には受光素子である。
【００２６】
アンテナ１２によって受信された信号は受信回路１３により適宜選択、増幅され、復調回路１４により復号される。この復号信号は、例えば所有者を識別するコ−ド信号であり、識別回路１５はこの識別信号を記憶装置１６が記憶する所有者情報と照合し、両者が一致する場合には報音部９ａ及び発光部９ｂを駆動する。尚、電池１７によって上記回路に電源が供給され、電池１７が２次電池の場合には、不図示の充電用コネクタを発光報知装置９に設け、必要に応じて電池１７を充電することができる。
【００２７】
例えば、待合室や旅館、ホテル等のホールに鞄１を置き忘れた場合、所有者は携帯電話の所定のキーを操作することによって、例えば所定の識別コードを含む信号を送信する。鞄１のアンテナ１２はこの信号を検出すると、復調回路１４によって識別コードを読み出し、識別回路１５によって記憶装置１６に記憶された識別信号との一致を判断し、発光部９ｂを発光させ、且つ報音部９ａを駆動して所有者に鞄１の位置を報知する。図４は鞄１の発光部９ｂが発光し、報音部９ａを駆動して所有者に鞄１の位置を報知している状態を示す。
【００２８】
以上のように、本例によれば、鞄１を何処かに置き忘れた場合でも所有者は携帯電話を操作することによって容易に置き忘れ位置を知ることができる。また、鞄１を簡単に探すことができるので、盗難等から鞄１を有効に守ることができる。
【００２９】
尚、本例においては携帯電話機と鞄１との間で通信を行う構成としたが、専用の発信機を設け、この発信機を操作して鞄１に識別コードを含む信号を送信する構成としてもよい。また、本例の説明では鞄１について説明したが、鞄１に限らず、ショルダーバッグや、セカンドバッグ、キャリーバッグ等のバッグに適用してもよい。
【００３０】
また、鞄やバッグに限らず、通常手荷物として取り扱う書類ケースや傘等についても同様に発光報知装置９を設け、置き忘れや盗難防止を図る構成としてもよい。
【００３１】
また、専用の無線タグを前述の発光報知装置９に使用する構成としてもよい。この場合、無線タグにはシリアル番号が設定されており、このシリアル番号を前述の識別コードとして使用することができる。
【００３２】
さらに、本実施形態の鞄１では発光報知装置９を鞄１の帯鉄８ａに設けたが、反対側の帯鉄８ｂに設ける構成としてもよく、更に帯鉄８ａ又は８ｂ以外の位置に設ける構成としてもよい。
【００３３】
（第２の実施形態）
次に、本発明の第２の実施形態について説明する。
本実施形態は上記構成の鞄やバック、特にキャリーバックやスーツケース等を仕事や旅行で持ち歩く際、特に飛行機を利用する場合に有効な実施例である。仕事や旅行で飛行機を利用する際、機内に持ち込める手荷物には数やサイズの制限があり、鞄やキャリーバック、スーツケース等の手荷物を預ける場合（貨物室で運搬してもらう場合）がある。この場合、目的地に到着すると、空港の手荷物受け渡し場所で預けた手荷物を受け取る。
【００３４】
通常、空港の手荷物受け渡し場所では回転するベルト上を同じ飛行機を利用した乗客の手荷物を搬送し、乗客自身が自分の手荷物、例えば鞄やキャリーバック、スーツケース等を探す。この場合、乗客は所持する半券に記載された番号と手荷物に掛けられた半券の番号との一致を確認して自分の手荷物を探す。
【００３５】
しかし、ベルト上を移動する多くの手荷物の中から自分の手荷物を探すことは容易ではない。すなわち、同じような形状や色の鞄やキャリーバック等がベルト上を移動しており、しかもある程度のスピードで移動しており、自分の手荷物を見逃す場合も多い。
【００３６】
そこで、本例の鞄やキャリーバックを使用することによって容易に自分の手荷物を探すことができるものである。すなわち、手荷物受け渡し場所に移動した乗客は自分の手荷物を発見するため、手荷物がベルト上を流れ始めると、例えば携帯電話の所定のキーを操作する。この操作によって、所定の識別コードを含む信号が送信され、鞄１のアンテナ１２はこの信号を検出する。そして、前述と同様、識別回路１５によって記憶装置１６に記憶された識別信号との一致を判断し、発光部９ｂを発光させ、且つ報音部９ａを駆動する。
【００３７】
図５はこの時の状態を示す図であり、乗客は移動するベルト上で発光し、報音する自己の手荷物を容易に発見することができる。尚、携帯電話の所定のキーを操作した際、ベルト上に自分の手荷物が移動していない場合には、少し時間をあけて再度操作することによって、ベルト上に自己の手荷物が移動していれば、確実に自分の手荷物を発見することができる。
【００３８】
尚、本例においても携帯電話機と鞄やキャリーバック等との間で通信を行う構成としたが、専用の発信機を設け、この発信機を操作して鞄やキャリーバックに識別コードを含む信号を送信する構成としてもよい。
【００３９】
また、同じシステムを複数の乗客が使用する場合、上記発光部９ａを発光させると共に、識別コード自体を表示する構成とする。この場合、図６に示すように発光部９ａと報音部９ｂの間に表示部２０を設け、この表示部２０に上記識別コードを表示する。
【００４０】
このように構成することによって、複数の乗客が同じ方法を使用して自己の手荷物を探す場合でも同時に手荷物の捜索を行うことができる。本例の場合、鞄やバック、特にキャリーバッグやスーツケースにおいて有効である。
【００４１】
また、専用の無線タグを前述の発光報知装置９に使用する構成としてもよい。この場合、無線タグにはシリアル番号が設定されており、このシリアル番号を前述の識別コードとして使用することができる。
【００４２】
（第３の実施形態）
次に、本発明の第３の実施形態について説明する。
本実施形態は上記構成の鞄やバック、特にキャリーバックやスーツケース等を仕事や旅行で持ち歩く際、使用するバンド自体に発光報知装置を設ける構成である。本例の場合、バンドはキャリーバックやスーツケースに対して取り外し自在に設けられるが、キャリーバック等に一体に設けられていてもよい。
【００４３】
図７は発光報知装置２１が設けられたバンド２２の構成を示す図であり、発光報知装置２１には発光部２１ａと報音部２１ｂが設けられ、内部に前述と同様の回路が設けられている。したがって、キャリーバックやスーツケースを持ち歩く際、このバンド２２を取り付けて使用することによって、例えば空港の手荷物受け渡し場所等において、バンド２２に設けた発光報知装置２１を駆動し、発光部２１ａを発光し、又報音部２１ｂによって報音し、容易にキャリーバックやスーツケースの位置を知ることができる。
【００４４】
尚、本例においても、同じシステムを複数の乗客が使用する場合もあり、バンド２２に設けられた発光報知装置２１の発光部２１ａと報音部２１ｂの間に数値表示部を設け、この数値表示部に上記識別コードを表示する構成としてもよい。
【００４５】
また、バンドの名称に限定される訳ではなく、ベルト等の他の名称であっても、一部に発光部又は報音部が設けられた発光報知装置を使用し、キャリーバックやスーツケースに利用されるものであれば同様に適用することができる。
【００４６】
また、本例の説明ではキャリーバックやスーツケースにバンドを使用する構成としたが、上記と同じ発光報知装置をタグに設け、このタグをキャリーバックやスーツケースに取り付けて自己の手荷物を容易に探すことができる構成としてもよい。
【００４７】
（第４の実施形態）
次に、本発明の第４の実施形態について説明する。
本実施形態は鞄やバック等に発信器を設け、衛星システムを利用して移動中の鞄やバックの位置を特定する発明である。以下、具体的に説明する。
【００４８】
図８は本例のシステム構成を説明する図である。同図において、サーバ装置２５は本システムの主要部であり、衛星システム２６を介して得られる位置情報に基づいて鞄２７ａや、キャリーバッグ２７ｂ、スーツケース等の位置を検知し、当該位置を常に記憶する装置である。
【００４９】
衛星システム２６は複数の通信衛星で構成され、例えば少なくとも３個以上の通信衛星によって鞄２７ａや、キャリーバッグ２７ｂ等からの発信信号を検知し、サーバ装置２５に送信する。鞄２７ａや、キャリーバッグ２７ｂ等には発信器が設けられ、各自の位置を常時衛星システム２６に送信する。
【００５０】
サーバ装置２５は衛星からの信号を受信すると、鞄２７ａや、キャリーバッグ２７ｂ等の位置を計測し、後述する記憶部（データベース）に記憶する。また、この記憶部に記憶される鞄２７ａやキャリーバッグ２７ｂ等の位置データは常時更新され、最新の位置データが記憶部に記憶される。
【００５１】
スマートフォン２８ａや、パーソナルコンピュータ（以下、単にパソコンで示す）２８ｂ等の端末装置は上記サーバ装置２５と通信を行い、移動中の鞄２７ａや、キャリーバッグ２７ｂ等の対象物の位置情報を取得する。
【００５２】
図９はサーバ装置２５の具体的な構成例である。同図において、サーバ装置２５は位置情報受信部３０、鞄やキャリーバッグ等の位置を計測する位置計測部３１、位置情報書込部３２、位置情報読出部３３、記憶部３４、位置情報送信部３５、読出コード入力部３６、認証部３７、コード記憶部３８で構成されている。
【００５３】
位置情報受信部３０は鞄２７ａや、キャリーバッグ２７ｂ等の対象物から発信する信号に基づいて衛星システム２６からの位置情報を受信する。キャリーバッグ等の位置計測部３１は、衛星システム２６の少なくとも３個以上の衛星からの位置情報に基づいて現在位置を計測する。
【００５４】
位置情報書込部３２は上記位置計測部３１によって計測した位置情報を記憶部３４に記憶する。位置情報読出部３３は記憶部３４に記憶したキャリーバッグ等の位置情報を読み出す。位置情報読出部３３による位置情報の読み出しは、前述のスマートフォン２８ａやパソコン２８ｂ等の端末装置から送信される読出しコードに基づいて行い、読出コード入力部３６に入力する読出コードを認証部３７によって認証し、記憶部３４から対応する位置情報を読み出す。
【００５５】
尚、認証部３７による読出コードの認証はコード記憶部３８に予め登録したコード情報との一致を判断して行い、記憶部３４から読み出した位置情報は位置情報送信部３５から対応するスマートフォン２８ａやパソコン２８ｂ等に送信される。
【００５６】
図１０は上記記憶部３４のデータ構成を説明する図である。記憶部３４の最初のコード番号“00001”の記憶エリアは、例えば所有者「田中一郎」氏の鞄Ａの位置情報を記憶するエリアであり、位置情報記憶エリアには鞄Ａの緯度と経度の位置情報が記憶される。尚、「１２３４」は鞄Ａの位置情報を記憶部３４から読み出す為の読出コードである。
【００５７】
記憶部３４の次のコード番号“00002”の記憶エリアは、例えば所有者「鈴木太郎」氏のキャリーバッグＢの位置情報を記憶するエリアであり、位置情報記憶エリアには当該キャリーバッグＢの位置情報が緯度と経度の情報として記憶されている。尚、「５６７８」はキャリーバッグＢの位置情報を記憶部３４から読み出す為の読出コードである。
【００５８】
以下同様に、コード番号“00003”、“00004”、・・の記憶エリアは、同図に示す様に位置情報を読み出す対象物である、バッグＣやスーツケースＤ等の位置情報を記憶するエリアであり、上記と同様対象物の位置情報等が記憶される。
【００５９】
上記構成において、以下に本例の処理を具体的に説明する。
先ず、記憶部３４には登録された対象物（移動する荷物）、例えば鞄２７ａや、キャリーバッグ２７ｂ等の位置情報が常時更新され、最新の位置情報がそれぞれ記憶されている。例えば、記憶部３４の最初のエリア“00001”には鞄Ａの最新情報が記憶され、次のエリア“00002”にはキャリーバッグＢの最新情報が記憶され、更にエリア“00003”、“00004”にはバッグＣ、スーツケースＤの最新情報が記憶されている。
【００６０】
この状態において、例えば鞄Ａの所有者「田中一郎」氏が自己の鞄の現在位置を知りたい場合、例えば保持するスマートフォン２８ａを操作して読出コード「１２３４」をサーバ装置２５に送信する。この送信情報は前述の読出コード入力部３６に入力し、認証部３７によって認証される。例えば、認証部３７は読出コード入力部３６に入力した読出コードとコード記憶部３８に予め記憶されたコードとの一致を判断して認証を行う。
【００６１】
ここで、読出コードが一致していれば、位置情報読出部３３はこの読出コードに基づいて記憶部３４を検索し、対応する読出コード、即ち最初のコード“00001”の記憶エリアに記憶された緯度と経度の位置情報を読み出す。この位置情報は鞄Ａの現在位置の情報であり、この位置情報は位置情報送信部３５を介して発信者に送信される。
【００６２】
したがって、鞄Ａの所有者のスマートフォン２８ａには上記位置情報に基づく表示が行われる。図１１は上記位置情報を受信したスマートフォン２８ａに表示された位置情報の表示例であり、現在の鞄Ａの位置がスマートフォン２８ａのディスプレイ上に表示される。
【００６３】
したがって、鞄Ａの所有者はスマートフォンに表示された位置情報を見ることによって容易に現在鞄Ａが何処にあるか容易に知ることができる。
【００６４】
同様に、例えばキャリーバッグＢの所有者「鈴木太郎」氏が自己のバッグの現在位置を知りたい場合、保持するパソコン２８ｂを操作して読出コード「５６７８」をサーバ装置２５に送信する。この送信情報は前述と同様読出コード入力部３６に入力し、認証部３７によって認証される。そして、読出コードが一致していれば、位置情報読出部３３はこの読出コードに基づいて記憶部３４を検索し、対応する記憶エリアに記憶された緯度と経度の位置情報を読み出す。この位置情報はキャリーバッグＢの現在位置の情報であり、この位置情報は位置情報送信部３５を介して発信者に送信される。
【００６５】
したがって、この場合もパソコン２８ｂのディスプレイには上記位置情報に基づく表示が行われ、現在のキャリーバッグＢの位置が地図上に表示される。したがって、キャリーバッグＢの所有者はパソコン２８ｂに表示された位置情報を見ることによって容易にキャリーバッグＢの現在する位置を容易に知ることができる。
さらに、他のバッグやスーツケース等の対象物についても同様であり、スマートフォンやパーソナルコンピュータ等の端末装置を操作して対応する対象物の読出コードを送信することによって、記憶部３４から対象物の現在位置の位置情報を読み出すことができる。
【００６６】
尚、上記実施形態の説明ではスマートフォンやパソコンを使用して対象物の位置を知る構成としたが、携帯電話器やＰＤＳ等の他の端末装置を使用する構成としてもよい。
【符号の説明】
【００６７】
１・・・鞄
２・・・本体
３・・・蓋部
４・・・取手
５ａ、５ｂ・・ネ革
６ａ、６ｂ・・バンド
７・・・蝶番
８ａ、８ｂ・・帯鉄
９・・・発光報知装置
９ａ・・発光部
９ｂ・・報音部
１２・・アンテナ
１３・・受信回路
１４・・復調回路
１５・・識別回路
１６・・記憶装置
１７・・電池
２０・・表示部
２１・・発光報知装置
２１ａ・・発光部
２１ｂ・・報音部
２２・・バンド
２５・・サーバ装置
２６・・衛星システム（ＧＰＳ）
２７ａ・・鞄
２７ｂ・・キャリーバッグ
２８ａ・・スマートフォン
２８ｂ・・パソコン
３０・・位置情報受信部
３１・・位置計測部
３２・・位置情報書込部
３３・・位置情報読出部
３４・・記憶部
３５・・位置情報送信部
３６・・読出コード入力部
３７・・認証部
３８・・コード記憶部
【図１】
2016064108.tif 000003
【図２】
2016064108.tif 000004
【図３】
2016064108.tif 000005
【図４】
2016064108.tif 000006
【図５】
2016064108.tif 000007
【図６】
2016064108.tif 000008
【図７】
2016064108.tif 000009
【図８】
2016064108.tif 000010
【図９】
2016064108.tif 000011
【図１０】
2016064108.tif 000012
【図１１】
2016064108.tif 000013